(57)【要約】【課題】既存の端子を複数の用途で使うことが可能な光通信モジュールを提供すること。【解決手段】切替スイッチ７と切替スイッチ９とがオン信号を受けた場合、電源用端子１７と電源用端子１９とから一般回路３が電源の供給を受け、切替スイッチ７と切替スイッチ９とがオフ信号を受けた場合、電源用端子１７からコントローラ５がクロック信号を受けるとともに、電源用端子１９からコントローラ５がデータ信号を受けるようになっている。よって、電源供給用の電源用端子１７と電源用端子１９とを複数の用途で用いることが可能となり、既存の端子を複数の用途で使うことができる。【選択図】図１
2013258493.tif 000002
【特許請求の範囲】
【請求項１】
電気信号を光信号に変換して前記光信号を送信する送信部と、光信号を受信して前記光信号を電気信号に変換する受信部と、を備えた回路要素を有する光通信モジュールであって、
前記回路要素の動作を制御するコントローラと、
電源の供給を受けるための第１〜第３の端子と、
前記電源の供給を制御する信号を受けるための第４の端子と、
第１〜第９の信号線と、
第１，第２のスイッチ回路と、
を備え、
前記コントローラは、クロック信号を受けるためのクロック端子を有し、
前記コントローラは、データ信号を受けるためのデータ端子を有し、
前記第１の信号線は、前記第１の端子と前記コントローラとを接続し、
前記第２の信号線は、前記第２の端子と前記第１のスイッチ回路の第１の入力端とを接続し、
前記第３の信号線は、前記第３の端子と前記第２のスイッチ回路の第１の入力端とを接続し、
前記第４の信号線は、前記第１のスイッチ回路の出力端と前記回路要素とを接続し、
前記第５の信号線は、前記第２のスイッチ回路の出力端と前記回路要素とを接続し、
前記第６の信号線は、前記第２の端子と前記クロック端子とを接続し、
前記第７の信号線は、前記第３の端子と前記データ端子とを接続し、
前記第８の信号線は、前記第４の端子と前記第１のスイッチ回路の第２の入力端とを接続し、
前記第９の信号線は、前記第４の端子と前記第２のスイッチ回路の第２の入力端とを接続し、
前記第１のスイッチ回路は、前記第４の端子、及び前記第８の信号線を介して、外部から、前記第１のスイッチ回路をオンするオン信号と、前記第１のスイッチ回路をオフするオフ信号と、を受け、
前記第２のスイッチ回路は、前記第４の端子、及び前記第９の信号線を介して、外部から、前記第２のスイッチ回路をオンするオン信号と、前記第２のスイッチ回路をオフするオフ信号と、を受け、
前記コントローラは、前記第１の端子、及び前記第１の信号線を介して、外部から電源の供給を受け、
前記第１及び第２のスイッチ回路がオン信号を受けた場合、前記回路要素は、前記第２の端子、前記第１のスイッチ回路、及び前記第４の信号線を介して、外部から電源の供給を受けるとともに、前記第３の端子、前記第２のスイッチ回路、及び前記第５の信号線を介して、外部から電源の供給を受け、
前記第１及び第２のスイッチ回路がオフ信号を受けた場合、前記コントローラは、前記第２の端子、前記第６の信号線、及び前記クロック端子を介して、外部からクロック信号を受けるとともに、前記第３の端子、前記第７の信号線、及び前記データ端子を介して、外部からデータ信号を受ける、光通信モジュール。
【請求項２】
前記第４の端子には、プログラムモードに切り替えるための信号が外部から入力されるようになっており、
前記第４の端子に前記プログラムモードに切り替えるための信号が入力された場合、前記第１及び第２のスイッチ回路がオフ信号を受け、
前記コントローラは、前記第２の端子、前記第６の信号線、及び前記クロック端子を介して、外部からインシステムプログラミングに用いるクロック信号を受けるとともに、前記第３の端子、前記第７の信号線、及び前記データ端子を介して、外部からインシステムプログラミングに用いるデータ信号を受ける、ことを特徴とする請求項１に記載の光通信モジュール。
【請求項３】
前記第４の端子には、低消費電力モードに切り替えるための信号が外部から入力されるようになっており、
前記第４の端子に前記低消費電力モードに切り替えるための信号が入力された場合、前記第１及び第２のスイッチ回路がオフ信号を受け、前記回路要素は、外部から電力の供給を受けない、ことを特徴とする請求項１または２に記載の光通信モジュール。
【発明の詳細な説明】
【技術分野】
【０００１】
本発明は、光通信モジュールに関する。
【背景技術】
【０００２】
光通信モジュールの分野において小型化が進んでいる。小型化された光通信モジュールには、光送信器、光受信器、信号処理ＩＣ、コントローラ等が小さな筐体に内蔵されている。一方、複数の企業の合意による共通仕様に準拠した製品を出荷する形態であるＭＳＡ（Multi  Source  Agreement）で規定された光通信モジュールでは、電気インターフェースが規定されている。光通信モジュールは一般的に端子の数が少なく、各端子は、電源用、グランド用、高速信号用、制御信号用等、予め機能が割り当てられており、特殊な用途で用いることが可能な端子は限定されている。また、近年の光通信モジュールのＭＳＡでは、多レーン伝送が増えたため、多くの端子が通信用に割り当てられることとなり、余剰の端子が減少し、例えばインシステムプログラミング用に使える端子も減っている。そこで、特許文献１には、インシステムプログラミングを行うにあたって、光インタフェースを端子として用いること等が開示されている。
【先行技術文献】
【特許文献】
【０００３】
【特許文献１】特開２００９−２００５８５号公報
【発明の概要】
【発明が解決しようとする課題】
【０００４】
しかしながら、余剰の端子が減少している状況下において、特許文献１のように光インタフェースを端子として用いる場合、内部で行う処理が複雑になるため、特に近年の高機能な光通信モジュールに対しては不向きであるという問題があり、既存の端子を有効活用することが求められている。そこで、本発明の目的は、上記の事情に鑑みてなされたものであり、既存の端子を複数の用途で使うことが可能な光通信モジュールを提供することである。
【課題を解決するための手段】
【０００５】
本発明の光通信モジュールは、電気信号を光信号に変換して前記光信号を送信する送信部と、光信号を受信して前記光信号を電気信号に変換する受信部と、を備えた回路要素を有する光通信モジュールであって、前記回路要素の動作を制御するコントローラと、電源の供給を受けるための第１〜第３の端子と、前記電源の供給を制御する信号を受けるための第４の端子と、第１〜第９の信号線と、第１，第２のスイッチ回路と、を備え、前記コントローラは、クロック信号を受けるためのクロック端子を有し、前記コントローラは、データ信号を受けるためのデータ端子を有し、前記第１の信号線は、前記第１の端子と前記コントローラとを接続し、前記第２の信号線は、前記第２の端子と前記第１のスイッチ回路の第１の入力端とを接続し、前記第３の信号線は、前記第３の端子と前記第２のスイッチ回路の第１の入力端とを接続し、前記第４の信号線は、前記第１のスイッチ回路の出力端と前記回路要素とを接続し、前記第５の信号線は、前記第２のスイッチ回路の出力端と前記回路要素とを接続し、前記第６の信号線は、前記第２の端子と前記クロック端子とを接続し、前記第７の信号線は、前記第３の端子と前記データ端子とを接続し、前記第８の信号線は、前記第４の端子と前記第１のスイッチ回路の第２の入力端とを接続し、前記第９の信号線は、前記第４の端子と前記第２のスイッチ回路の第２の入力端とを接続し、前記第１のスイッチ回路は、前記第４の端子、及び前記第８の信号線を介して、外部から、前記第１のスイッチ回路をオンするオン信号と、前記第１のスイッチ回路をオフするオフ信号と、を受け、前記第２のスイッチ回路は、前記第４の端子、及び前記第９の信号線を介して、外部から、前記第２のスイッチ回路をオンするオン信号と、前記第２のスイッチ回路をオフするオフ信号と、を受け、前記コントローラは、前記第１の端子、及び前記第１の信号線を介して、外部から電源の供給を受け、前記第１及び第２のスイッチ回路がオン信号を受けた場合、前記回路要素は、前記第２の端子、前記第１のスイッチ回路、及び前記第４の信号線を介して、外部から電源の供給を受けるとともに、前記第３の端子、前記第２のスイッチ回路、及び前記第５の信号線を介して、外部から電源の供給を受け、前記第１及び第２のスイッチ回路がオフ信号を受けた場合、前記コントローラは、前記第２の端子、前記第６の信号線、及び前記クロック端子を介して、外部からクロック信号を受けるとともに、前記第３の端子、前記第７の信号線、及び前記データ端子を介して、外部からデータ信号を受ける、ことを特徴とする。
【０００６】
このように、本発明に係る光通信モジュールによれば、第１及び第２のスイッチ回路がオン信号を受けた場合、第２の端子と第３の端子とから回路要素が電源の供給を受け、第１及び第２のスイッチ回路がオフ信号を受けた場合、第２の端子からコントローラがクロック信号を受けるとともに、第３の端子からコントローラがデータ信号を受けるようになっている。よって、電源供給用の第２の端子と、電源供給用の第３の端子とを複数の用途で用いることが可能となり、既存の端子を複数の用途で使うことができる。
【０００７】
本発明に係る光通信モジュールにおいて、前記第４の端子には、プログラムモードに切り替えるための信号が外部から入力されるようになっており、前記第４の端子に前記プログラムモードに切り替えるための信号が入力された場合、前記第１及び第２のスイッチ回路がオフ信号を受け、前記コントローラは、前記第２の端子、前記第６の信号線、及び前記クロック端子を介して、外部からインシステムプログラミングに用いるクロック信号を受けるとともに、前記第３の端子、前記第７の信号線、及び前記データ端子を介して、外部からインシステムプログラミングに用いるデータ信号を受ける、ことが好ましい。従って、プログラムモードに切り替わった場合には、電源供給用の第２の端子からコントローラがインシステムプログラミング用のクロック信号を受け、電源供給用の第３の端子からコントローラがインシステムプログラミング用のデータ信号を受けることになる。よって、インシステムプログラミングを行う場合に、既存の端子を複数の用途で使うことが可能となる。
【０００８】
本発明に係る光通信モジュールにおいて、前記第４の端子には、低消費電力モードに切り替えるための信号が外部から入力されるようになっており、前記第４の端子に前記低消費電力モードに切り替えるための信号が入力された場合、前記第１及び第２のスイッチ回路がオフ信号を受け、前記回路要素は、外部から電力の供給を受けない、ことが好ましい。従って、制御用の第４の端子に信号を入力するだけで回路要素に電力を供給させないようにすることが可能となり、低消費電力モードに移行させる場合においても、既存の端子を複数の用途で使うことができる。
【発明の効果】
【０００９】
本発明によれば、既存の端子を複数の用途で使うことが可能な光通信モジュールを提供することができる。
【図面の簡単な説明】
【００１０】
【図１】実施形態に係る光通信モジュールの構成を示す図である。
【図２】実施形態に係る光通信モジュールの構成を示す図である。
【図３】変形例に係る光通信モジュールの構成を示す図である。
【図４】変形例に係る光通信モジュールの構成を示す図である。
【発明を実施するための形態】
【００１１】
以下、図面を参照して、本発明に係る好適な実施形態について詳細に説明する。なお、図面の説明において、可能な場合には、同一要素には同一符号を付し、重複する説明を省略する。図１と図２とを参照して、実施形態に係る光通信モジュールを説明する。図１は、実施形態に係る光通信モジュールの構成を示す図である。図２は、光通信モジュールにコンピュータ用プログラマ機器が接続された状態を示す図である。
【００１２】
図１及び図２に示す光通信モジュール１は、実施形態に係る光通信モジュールである。光通信モジュール１の構成は、ＭＳＡ規格に準拠している。光通信モジュール１は、光通信装置に接続されて用いられる。光通信モジュール１は、光ファイバに接続され、光ファイバを介して光信号を送受する。光通信モジュール１は、コンピュータ用プログラマ機器２３に接続されてインシステムプログラミングが行われる。
【００１３】
光通信モジュール１は、一般回路３と、コントローラ５と、切替スイッチ７，９と、保護抵抗１１，１３と、電源用端子１５，１７，１９と、制御端子２１と、を備える。光通信モジュール１は、信号線Ｌ１，Ｌ２ａ，Ｌ２ｂ，Ｌ２ｃ，Ｌ２ｄ，Ｌ３，Ｌ４，Ｌ５，Ｌ６，Ｌ７，Ｌ８を有する。電源用端子１５，１７，１９と、制御端子２１とは、ＭＳＡ規格に準拠している。電源用端子１７，１９は、コンピュータ用プログラマ機器２３の複数の端子にそれぞれ接続可能である。電源用端子１５は、コントローラ５に電力を供給するための端子である。電源用端子１７は、一般回路３に電力を供給するための端子である。電源用端子１９は、一般回路３に電力を供給するための端子である。制御端子２１は、電源の供給を制御する信号を受けるための端子である。
【００１４】
一般回路３は、電気信号を光信号に変換して光信号を送信する図示しない送信部と、光信号を受信して光信号を電気信号に変換する図示しない受信部と、を備える。送信部は、ＬＤ（Laser  Diode）と、ＬＤを駆動するＬＤＤ（Laser  Diode  Driver）とを有する。受信部は、ＰＤ（Photo  Diode）を有する。一般回路３は、端子３ａを有する。端子３ａは、信号線Ｌ２ｃを介して切替スイッチ７の出力端７ｂに接続されている。端子３ａは、信号線Ｌ２ｄを介して切替スイッチ９の出力端９ｂに接続されている。一般回路３は、更に、例えば、電気信号を増幅させるＬＩＡや、電気信号の波形の整形を行うＣＤＲ等の回路を備えていてもよい。
【００１５】
コントローラ５は、図示しないＣＰＵ、メモリ等を有する。コントローラ５のメモリは、コンピュータプログラムを格納する。コントローラ５のＣＰＵは、メモリに格納されているコンピュータプログラムを実行する。コントローラ５のＣＰＵは、コンピュータプログラムを実行することによって、光通信モジュール１の各種センサ（例えば、図示しない温度センサ等）を用いて、光通信モジュール１の内部温度の監視、光通信モジュール１の電源電圧の監視、ＬＤ等の動作の監視など、光通信モジュール１の動作を統括的に監視し、更に、送信部及び受信部のオン・オフの制御、送信部から出力される信号の伝送速度の設定など、一般回路３の動作を制御する。
【００１６】
コントローラ５は、端子５ａと、クロック端子５ｂと、データ端子５ｃとを備える。端子５ａは、信号線Ｌ１を介して電源用端子１５に接続されている。クロック端子５ｂは、信号線Ｌ５を介して保護抵抗１１の出力端１１ｂに接続されている。データ端子５ｃは、信号線Ｌ６を介して保護抵抗１３の出力端１３ｂに接続されている。
【００１７】
切替スイッチ７は、入力端７ａと、出力端７ｂと、入力端７ｃと、を有する。入力端７ａは、信号線Ｌ２ａを介して電源用端子１７に接続されている。出力端７ｂは、信号線Ｌ２ｃを介して一般回路３に接続されている。入力端７ｃは、信号線Ｌ８を介して制御端子２１に接続されている。入力端７ａは、電源用端子１７、信号線Ｌ２ａを介して、外部から電力供給を受ける。入力端７ｃは、制御端子２１、信号線Ｌ８を介して、外部から、切替スイッチ７をオンにするためのオン信号を受ける。入力端７ｃは、制御端子２１、信号線Ｌ８を介して、外部から切替スイッチ７をオフにするためのオフ信号を受ける。入力端７ｃがオン信号を受けた場合、切替スイッチ７がオンとなり、電源用端子１７からの電力は、出力端７ｂ、信号線Ｌ２ｃ、端子３ａを介して、一般回路３に供給される。入力端７ｃがオフ信号を受けた場合、切替スイッチ７がオフとなり、電源用端子１７からの電力は一般回路３に供給されない。切替スイッチ７としては、例えば、ロードスイッチ、ＦＥＴを用いることができる。
【００１８】
切替スイッチ９は、入力端９ａと、出力端９ｂと、入力端９ｃと、を有する。入力端９ａは、信号線Ｌ２ｂを介して電源用端子１９に接続されている。出力端９ｂは、信号線Ｌ２ｄを介して一般回路３に接続されている。入力端９ｃは、信号線Ｌ７を介して制御端子２１に接続されている。入力端９ａは、信号線Ｌ２ｂを介して外部から電力供給を受ける。入力端９ｃは、制御端子２１、信号線Ｌ７を介して、外部から、切替スイッチ９をオンにするためのオン信号を受ける。入力端９ｃは、制御端子２１、信号線Ｌ７を介して、外部から、切替スイッチ９をオフにするためのオフ信号を受ける。入力端９ｃがオン信号を受けた場合、切替スイッチ９がオンとなり、電源用端子１９からの電力は、出力端９ｂ、信号線Ｌ２ｄ、端子３ａを介して、一般回路３に供給される。入力端９ｃがオフ信号を受けた場合、切替スイッチ９がオフとなり、電源用端子１９からの電力は一般回路３に供給されない。切替スイッチ９としては、例えば、ロードスイッチ、ＦＥＴを用いることができる。
【００１９】
保護抵抗１１は、コントローラ５を保護するための抵抗である。保護抵抗１１は、入力端１１ａと、出力端１１ｂと、を有する。入力端１１ａは、信号線Ｌ３、信号線Ｌ２ａを介して電源用端子１７に接続されている。出力端１１ｂは、信号線Ｌ５を介してコントローラ５のクロック端子５ｂに接続されている。クロック端子５ｂは、電源用端子１７、信号線Ｌ２ａ、信号線Ｌ３、保護抵抗１１、信号線Ｌ５を介してクロック信号を受ける。
【００２０】
保護抵抗１３は、コントローラ５を保護するための抵抗である。保護抵抗１３は、入力端１３ａと、出力端１３ｂと、を有する。入力端１３ａは、信号線Ｌ４、信号線Ｌ２ｂを介して電源用端子１９に接続されている。出力端１３ｂは、信号線Ｌ６を介してコントローラ５のデータ端子５ｃに接続されている。データ端子５ｃは、電源用端子１９、信号線Ｌ２ｂ、信号線Ｌ４、保護抵抗１３、信号線Ｌ６を介してデータ信号を受ける。
【００２１】
光通信モジュール１は、図示しない光通信装置が接続されるようになっている。光通信装置が接続されている光通信モジュール１において、制御端子２１は通常モードに設定される。制御端子２１が通常モードに設定された場合、入力端７ｃはオン信号を制御端子２１から受ける。制御端子２１が通常モードに設定された場合、入力端９ｃはオン信号を制御端子２１から受ける。制御端子２１が通常モードに設定された場合、電源用端子１５には電源電圧が印加され、電源電流が電源用端子１５、信号線Ｌ１を介してコントローラ５に供給される。制御端子２１が通常モードに設定された場合、電源用端子１７には電源電圧が印加され、電源電流が電源用端子１７、信号線Ｌ２ａ、切替スイッチ７、信号線Ｌ２ｃを介して一般回路３に供給される。制御端子２１が通常モードに設定された場合、電源用端子１９には電源電圧が印加され、電源電流が電源用端子１９、信号線Ｌ２ｂ、切替スイッチ９、信号線Ｌ２ｄを介して一般回路３に供給される。
【００２２】
図２には、コンピュータ用プログラマ機器２３が光通信モジュール１に接続された構成が示されている。コンピュータ用プログラマ機器２３は、コントローラ５に対してインシステムプログラミングを行うための装置である。コントローラ５は、電源用端子１７と電源用端子１９とを用いて、コンピュータ用プログラマ機器２３からファームウェア等のコンピュータプログラムをダウンロードする。コンピュータ用プログラマ機器２３は、端子２３ａと、端子２３ｂと、を有する。コンピュータ用プログラマ機器２３が光通信モジュール１に接続されたとき、端子２３ａは、信号線Ｌａを介して、電源用端子１７に接続されている。コンピュータ用プログラマ機器２３が光通信モジュール１に接続されたとき、端子２３ｂは、信号線Ｌｂを介して、電源用端子１９に接続されている。
【００２３】
コンピュータ用プログラマ機器２３が接続されている光通信モジュール１において、制御端子２１はプログラムモードに設定される。制御端子２１がプログラムモードに設定された場合、入力端７ｃはオフ信号を制御端子２１から受ける。制御端子２１がプログラムモードに設定された場合、入力端９ｃはオフ信号を制御端子２１から受ける。制御端子２１がプログラムモードに設定された場合、電源用端子１５には電源電圧が印加され、電源電流が電源用端子１５、信号線Ｌ１を介してコントローラ５に供給される。制御端子２１がプログラムモードに設定された場合、クロック端子５ｂは、端子２３ａ、信号線Ｌａ、電源用端子１７、信号線Ｌ２ａ、信号線Ｌ３、保護抵抗１１、信号線Ｌ５を介して、コンピュータ用プログラマ機器２３からインシステムプログラミングに用いるクロック信号を受ける。制御端子２１がプログラムモードに設定された場合、データ端子５ｃは、端子２３ｂ、信号線Ｌｂ、電源用端子１９、信号線Ｌ２ｂ、信号線Ｌ４、保護抵抗１３、信号線Ｌ６を介して、コンピュータ用プログラマ機器２３からインシステムプログラミングに用いるデータ信号を受ける。
【００２４】
以上説明した構成の光通信モジュール１によれば、切替スイッチ７と切替スイッチ９とがオン信号を受けた場合、電源用端子１７と電源用端子１９とから一般回路３が電源の供給を受け、切替スイッチ７と切替スイッチ９とがオフ信号を受けた場合、電源用端子１７からコントローラ５がクロック信号を受けるとともに、電源用端子１９からコントローラ５がデータ信号を受けるようになっている。よって、電源供給用の電源用端子１７と、電源供給用の電源用端子１９とを複数の用途で用いることが可能となり、既存の端子を複数の用途で使うことができる。
【００２５】
光通信モジュール１によれば、プログラムモードに切り替わった場合には、電源供給用の電源用端子１７からコントローラ５がインシステムプログラミング用のクロック信号を受け、電源供給用の電源用端子１９からコントローラ５がインシステムプログラミング用のデータ信号を受けることになる。よって、インシステムプログラミングを行う場合に、既存の端子を複数の用途で使うことが可能となる。なお、プログラムモードに切り替わった場合において、端子５ａは信号線Ｌ１を介して電源用端子１５に接続されるが、信号線Ｌ１の電圧は一定で変化しないため、コントローラ５は正常に動作する。
【００２６】
（変形例）光通信モジュール１の変形例に係る光通信モジュールの構成は、光通信モジュール１と同一である。変形例に係る光通信モジュールでは、制御端子２１が低消費電力モード切替のための端子となっている。制御端子２１には、低消費電力モードに切り替えるための信号が外部から入力される。制御端子２１に低消費電力モードに切り替えるための信号が入力された場合、入力端７ｃは、信号線Ｌ８を介して、オフ信号を制御端子２１から受ける。制御端子２１に低消費電力モードに切り替えるための信号が入力された場合、入力端９ｃは、信号線Ｌ７を介して、オフ信号を制御端子２１から受ける。入力端７ｃと入力端９ｃとがオフ信号を受けた場合、電源用端子１７と電源用端子１９とからの電力は一般回路３に供給されない。制御端子２１に低消費電力モードに切り替えるための信号が入力された場合、電源用端子１５には電源電圧が印加され、電源電流が電源用端子１５、信号線Ｌ１を介してコントローラ５に供給される。
【００２７】
変形例に係る光通信モジュールによれば、制御用の制御端子２１に信号を入力するだけで一般回路３に電力を供給させないようにすることが可能となり、低消費電力モードに移行させる場合においても、既存の端子を複数の用途で使うことができる。
【００２８】
（変形例）図３に、光通信モジュール１の変形例（光通信モジュール１ａ）を示す。光通信モジュール１ａにおいては、切替スイッチ７がＳＳ回路２５（ＳＳ回路：スロースタート回路）に換えられており、更に、切替スイッチ９がＳＳ回路２７に換えられている。光通信モジュール１の構成と光通信モジュール１ａの構成との相違点は、切替スイッチ７とＳＳ回路２５との相違、及び切替スイッチ９とＳＳ回路２７との相違のみである。
【００２９】
ＳＳ回路２５は、入力端２５ａと、出力端２５ｂと、入力端２５ｃと、を有する。入力端２５ａ、出力端２５ｂ、及び入力端２５ｃの構成及び機能は、入力端７ａ、出力端７ｂ、及び入力端７ｃの構成及び機能と同一である。ＳＳ回路２７は、入力端２７ａと、出力端２７ｂと、入力端２７ｃと、を有する。入力端２７ａ、出力端２７ｂ、及び入力端２７ｃの構成及び機能は、入力端９ａ、出力端９ｂ、及び入力端９ｃの構成及び機能と同一である。
【００３０】
変形例に係る光通信モジュール１ａによれば、ＳＳ回路２５とＳＳ回路２７とを備えることにより、より時間をかけて一般回路３に信号が入力されることになる。従って、光通信モジュール１と同様の効果が得られるとともに、一般回路３への突入電流を抑制することができる。
【００３１】
（変形例）図４に、光通信モジュール１の変形例（光通信モジュール１ｃ）を示す。光通信モジュール１ｃにおいては、コントローラ５が、ＪＴＡＧ端子を有するコントローラ３５ａと、ＪＴＡＧ端子を有するコントローラ３５ｂとに換えられており、切替スイッチ７と切替スイッチ９とが、切替スイッチ３７と切替スイッチ３９と切替スイッチ４１と切替スイッチ４３とに換えられており、保護抵抗１１と保護抵抗１３とが、保護抵抗４５と保護抵抗４７と保護抵抗４９と保護抵抗５１とに換えられており、電源用端子１５と電源用端子１７と電源用端子１９とが、電源用端子５３と電源用端子５５と電源用端子５７と電源用端子５９と電源用端子６１とに換えられている。
【００３２】
コントローラ３５ａとコントローラ３５ｂとの機能は、コントローラ５の機能と同一である。切替スイッチ３７と切替スイッチ３９と切替スイッチ４１と切替スイッチ４３との機能は、切替スイッチ７と切替スイッチ９との機能と同一である。保護抵抗４５と保護抵抗４７と保護抵抗４９と保護抵抗５１との機能は、保護抵抗１１と保護抵抗１３との機能と同一である。電源用端子５３と電源用端子５５と電源用端子５７と電源用端子５９と電源用端子６１との機能は、電源用端子１５と電源用端子１７と電源用端子１９との機能と同一である。
【００３３】
変形例に係る光通信モジュール１ｃによれば、切替スイッチ３７と切替スイッチ３９とがオン信号を受けた場合、電源用端子５５と電源用端子５７とから一般回路３が電源の供給を受け、切替スイッチ３７と切替スイッチ３９と切替スイッチ４１と切替スイッチ４３とがオフ信号を受けた場合、電源用端子５５と電源用端子５７と電源用端子５９と電源用端子６１とから、コントローラ３５ａとコントローラ３５ｂとが種々の信号を受けるようになっている。よって、電源用端子５５と電源用端子５７と電源用端子５９と電源用端子６１とを複数の用途で用いることが可能となり、既存の端子を複数の用途で使うことができる。従って、ＪＴＡＧ端子を有するコントローラ３５ａと、ＪＴＡＧ端子を有するコントローラ３５ｂとを備えた変形例に係る光通信モジュール１ｃであっても、光通信モジュール１と同様の効果が得られる。
【００３４】
以上、好適な実施の形態において本発明の原理を図示し説明してきたが、本発明は、そのような原理から逸脱することなく配置及び詳細において変更され得ることは、当業者によって認識される。本発明は、本実施の形態に開示された特定の構成に限定されるものではない。したがって、特許請求の範囲及びその精神の範囲から来る全ての修正及び変更に権利を請求する。
【符号の説明】
【００３５】
１，１ａ，１ｃ…光通信モジュール、３…一般回路（回路要素）、３ａ…端子、５，３５ａ，３５ｂ…コントローラ、５ａ…端子、５ｂ…クロック端子、５ｃ…データ端子、７…切替スイッチ（第１のスイッチ回路）、７ａ…入力端（第１の入力端）、７ｂ…出力端、７ｃ…入力端（第２の入力端）、９…切替スイッチ（第２のスイッチ回路）、９ａ…入力端（第１の入力端）、９ｂ…出力端、９ｃ…入力端（第１の入力端）、１１，１３，４５，４７，４９，５１…保護抵抗、１１ａ，１３ａ…入力端、１１ｂ，１３ｂ…出力端、１５…電源用端子（第１の端子）、１７…電源用端子（第２の端子）、１９…電源用端子（第３の端子）、２１…制御端子（第４の端子）、２３…コンピュータ用プログラマ機器、２３ａ，２３ｂ…端子、２５，２７…ＳＳ回路、２５ａ，２７ａ…入力端、２５ｂ，２７ｂ…出力端、３７，３９，４１，４３…切替スイッチ、５３，５５，５７，５９，６１…電源用端子、Ｌ１…信号線（第１の信号線）、Ｌ２ａ…信号線（第２の信号線）、Ｌ２ｂ…信号線（第３の信号線）、Ｌ２ｃ…信号線（第４の信号線）、Ｌ２ｄ…信号線（第５の信号線）、Ｌ３，Ｌ５…信号線（第６の信号線）、Ｌ４，Ｌ６…信号線（第７の信号線）、Ｌ７…信号線（第９の信号線）、Ｌ８…信号線（第８の信号線）。
【図１】
2013258493.tif 000003
【図２】
2013258493.tif 000004
【図３】
2013258493.tif 000005
【図４】
2013258493.tif 000006